(57)【要約】【課題】火炎の影響下にある場合でも、例えば、フレーム部材を囲んで配置された絶縁マットを確実に保持できる保持器を創出することにある。【解決手段】保持装置は、非耐火ケースによって囲まれる耐火コアを備え、予張力耐火装置は、一体化されて前記コアに取り付けられ、前記ケースが溶融する場合に、構成要素が前記担体と前記装置との間に確実に保持されるように、装置が解放する。【選択図】図２
2009510980.tif 000002
【特許請求の範囲】
【請求項１】
担体（１６）に連結可能な耐火コア（５、１８）を有し、
前記耐火コア（５、１８）は、非耐火ケース（７、１４）によって囲まれ、
予張力耐火装置（８）は、前記非耐火ケース（４、７）の中に一体化されて前記耐火コア（５、９）に取り付けられ、
前記非耐火ケース（４、７）が溶融する場合に、装置（８）が解放するように、
構成要素（１９）が前記担体（１６）と前記解放される装置（８）との間に確実に保持される、ことを特徴とする保持装置（１）。
【請求項２】
前記非耐火ケース（４、７）は、前記装置（８）が組み込まれる非耐火フランジ（７）を備え、
前記装置（８）が予張力状態にある場合に、前記構成要素（１９）は前記担体（１６）と前記非耐火フランジ（７）との間に確実に保持され、
前記装置（８）がその解放状態にある場合に、前記構成要素（１９）は前記担体（１６）と前記装置（８）との間に確実に保持される、ことを特徴とする請求項１に記載の保持装置。
【請求項３】
前記装置（８）は、前記耐火コア（５、９）から外側に向かって半径方向に解放状態で延ばす少なくとも１つのスプリング部材（１０ａ、１０ｂ、１０ｃ）を備える、ことを特徴とする請求項１又は２に記載の保持装置。
【請求項４】
前記装置（８）は、前記耐火コア（５）が延ばす螺旋スプリングであり、前記担体（１６）の方向に解放状態で弛緩する、ことを特徴とする請求項１又は２に記載の保持装置。
【請求項５】
前記担体（１６）から離れる方向に向いた端部に配管のための保持器（２）がある、ことを特徴とする請求項１乃至４のいずれか１つに記載の保持装置。
【請求項６】
前記保持器（２）および前記非耐火ケース（４）は、相互に組み込まれる、ことを特徴とする請求項５に記載の保持装置。
【請求項７】
前記保持器（２）又は前記非耐火ケースの少なくとも一方は、樹脂材料から射出成型される、ことを特徴とする請求項１乃至６のいずれか１つに記載の保持装置。
【請求項８】
前記耐火コア（５）は、前記担体（１６）の通し穴（１７）を通って延びるネジであり、前記担体（１６）に前記保持装置（１）を取り付けるために前記担体（１６）の別の側にナット部品（１１）でねじ込まれる、ことを特徴とする請求項１乃至７のいずれか１つに記載の保持装置。
【請求項９】
前記ナット部品（１１）は、非耐火ケース（１４）によって囲まれる耐火ナット（１８）を備え、
前記ネジ（５）手段によってねじ込まれ、
予張力耐火テンション装置（２０）は、前記非耐火ケース（１４）の中に組み込まれ、前記耐火ナット（１８）に取り付けられ、
前記非耐火ケース（１４）が溶融する場合に、解放され、前記構成要素（１９）は前記担体（１６）と前記解放したテンション装置（２０）との間に確実に保持される、ことを特徴とする請求項８に記載の保持装置。
【請求項１０】
前記非耐火ケース（１４）は、前記テンション装置（２０）が組み込まれる非耐火フランジ（１５）を備え、
前記テンション装置（２０）が予張力状態にある場合に、前記構成要素（１９）は前記担体（１６）と前記非耐火フランジ（１５）との間に確実に保持され、
前記テンション装置（２０）が解放状態にある場合に、前記構成要素（１９）は前記担体（１６）と前記テンション装置（２０）との間に確実に保持される、ことを特徴とする請求項９に記載の保持装置。
【請求項１１】
前記テンション装置（２０）は、前記耐火ナット（１８）から外側に向かって半径方向に解放状態で延ばす少なくとも１つのスプリング部材（１０ａ、１０ｂ、１０ｃ）を備える、ことを特徴とする請求項９又は１０に記載の保持装置。
【請求項１２】
前記テンション装置（２０）は、前記担体（１６）の方向の前記耐火ナット（１８）から解放状態に解放する螺旋スプリングである、ことを特徴とする請求項９又は１０に記載の保持装置。
【請求項１３】
前記担体（１６）から離れる方向に向いた、前記非耐火ケース（１４）の端部は、電線管を保持するように設計された保持器（１２）を備える、ことを特徴とする請求項９乃至１２のいずれか１つに記載の保持装置。
【請求項１４】
前記保持器（１２）および前記非耐火ケース（１４）は、相互において一体化される、ことを特徴とする請求項１３に記載の保持装置。
【請求項１５】
前記保持器（１２）又は前記非耐火ケース（１４）の少なくとも一方は、樹脂材料からの射出成型である、ことを特徴とする請求項１３又は１４に記載の保持装置。
【発明の詳細な説明】
【技術分野】
【０００１】
本願は、２００５年９月２６日に出願の独国特許出願公開第１０  ２００５  ０４５  ８４６．７号および２００５年９月２６日に出願の米国特許仮出願第６０／７２０，６２４号の出願日の利益を主張するものであり、これらの特許出願の開示は、参照することにより本明細書に組み込むものとする。
【０００２】
本発明は、保持装置に関し、特に、航空機で使用する一体化した保持器に関する。
【背景技術】
【０００３】
航空機では、様々な領域に電線経路を維持し、誘導するのにケーブル保持器を使用する。
それらが本質的に軽量であることから、樹脂製のケーブル保持器を使用するのが好ましい。
保持器は、横断支持体またはフレーム部材の実際の連結条件、例えば、横断支持体のウェブ厚さや穴径などに合わされる。
【０００４】
一般的な保持器は樹脂を含み、ネジおよびナット連結体として設計される。
保持器は、電線群を横断支持体またはフレーム部材に沿って保持したり、案内したりするのに使用される。
一般的な保持器は、特に、フレーム部材に沿って経路を上下に誘導し、絶縁マットを保持するのに使用される。
しかし、熱が過剰な場合、例えば、火炎にさらされた場合、フレーム部材のまわりに絶縁マットを保持する上記の一般的な保持器を構成する樹脂が溶融し、絶縁マットは、ナットおよびネジ連結体上に落下する。
【発明の開示】
【発明が解決しようとする課題】
【０００５】
本発明の目的は、火炎の影響下にある場合でも、例えば、フレーム部材を囲んで配置された絶縁マットを確実に保持できる保持器を創出することにある。
【課題を解決するための手段】
【０００６】
この目的に対する問題解決手段については請求項１に記載している。本発明の有益な改良については従属請求項に記載している。
【０００７】
本発明による保持装置は、例えば、金属製の耐火コアを有し、この耐火コアは耐火性でないケースによって囲まれる。
ケースは、例えば、樹脂で作られ、一般的な射出成型法を用いて金属コアを囲んで成型される。
保持装置のコアの一方の端部を、例えば、担体またはフレーム部材に取り付けることができる。
予張力をかけた耐火性装置がケース内に組み入れられてコアに取り付けられる。
ケースが溶融すると、予張力をかけた耐火性装置が解放され、その結果、担体のまわりに配置されていた構成要素（例えば、絶縁マット）を担体と解放された装置との間に確実に保持することができる。
【０００８】
本発明の改良形態によれば、ケースは、装置が組み入れられる非耐火性のフランジ領域を有する。
構成要素は、装置がその予張力をかけた状態にあるときに、担体とフランジとの間に確実に保持され、装置がその解放された状態になると、構成要素は、担体と解放された装置との間に確実に保持される。
【０００９】
装置の有益な実施形態によれば、装置は、その解放された状態で、コアから外側に向かって半径方向に延びる少なくとも１つのスプリング部材を有する。
【００１０】
代替案として、装置は、コアが貫通する螺旋スプリングとすることができ、螺旋スプリングは、その解放された状態で担体の方向に緩み、その結果、構成要素は担体の方向に押され、構成要素の下方へのスライドが防止される。
【００１１】
本発明のさらなる発展形態によれば、担体から離れる方向に向いたケースの端部には、例えば、電線管または他のパイプラインなどの配管を保持する保持装置がある。
保持装置およびケースは、例えば、射出成型法を用いて、樹脂から単体部品として作られる。
【００１２】
保持装置のコアは、例えば、金属ピンとされる。
代替案として、コアは、担体内に形成された穴を貫通するネジとすることができる。
この実施形態によれば、担体の別の側で、ナット部品を使用してネジをねじ込むことができ、その結果、保持装置を担体に取り付けることができる。
【００１３】
本発明によれば、ナット部品は、非耐火性ケーシングによって囲まれた（例えば、金属製の）耐火性ナットであるのが好ましい。
非耐火性ケーシングは、例えば、保持装置のケースと同じ材料で作られる。
同様の態様で、予張力をかけた耐火性テンション装置が、ケーシング内に組み入れられて、ナットに取り付けられ、ケーシングが溶融した場合に解放されて、例えば、絶縁マットなどの構成要素が、担体とテンション装置の間に確実に保持されるようにする。
【００１４】
テンション装置は、ネジを用いて取り付けられる上記の装置と同様の態様で設計される。
【００１５】
本発明の好ましい改良形態によれば、ナット部品のケーシングは、好ましくはテンション装置が組み込まれた非耐火性フランジを含む。
この構成では、構成要素は、テンション装置がその予張力をかけた状態にあるときに、担体とフランジとの間に確実に保持され、テンション装置が解放された状態になると、構成要素は、担体とテンション装置との間に確実に保持される。
【００１６】
改良形態によれば、テンション装置は、ネジから半径方向外側に延びる上記の装置のスプリング部材と同様に、その解放された状態でナットから外側に向かって半径方向に延びる少なくとも１つのスプリング部材を有する。
【００１７】
代替案として、テンション装置は、解放された状態でネジから担体の方向に緩む装置と同様に、解放された状態でナットから担体の方向に緩む螺旋スプリングとすることができる。
【００１８】
本発明のさらに別の改良形態によれば、担体から離れる方向に向いた担体の端部は、配管を保持する保持器として設計される。
保持器は、例えば、電線管およびパイプを保持し、案内する上記の保持装置と同様の態様で構築される。
【００１９】
保持器および／またはケーシングは、例えば、樹脂材料から射出成型で作られる。
保持器およびケーシングを互いに組み入れられるように設計することができる。
【発明を実施するための最良の形態】
【００２０】
同封の図面を参照して本発明の好ましい例示的な実施形態を以下に説明する。
以下では、各図の様々な表示において、同一の部品には同じ参照符号が使用されている。
【００２１】
図１は、本発明の好ましい例示的な実施形態による保持装置１の上方から斜めに見た斜視図を示す。
保持装置１は、配管を保持する、例えば、ケーブルの電線チューブ（ｅｌｅｃｔｒｉｃａｌ  ｌｏｏｍｓ）を保持する保持器２を有する。
図１に示すように、保持器２の保持面は、電線管を前記保持面に置けるように、縁部領域３ａ、３ｂ内に、対応する凹部を有する。
図１では、電線管を示していない。
様々な応用分野に応じて、保持器２の保持面を合わせることができる。
【００２２】
図１に示すように、部品４は、基本的に、保持器２から離れる方向に垂直に延びている。
また、部品４は他の何らかの角度で保持器２から離れる方向に延びることもできる。
【００２３】
保持器２および部品４は、例えば、１つの樹脂材料で作られ、１つの部品として射出成型される。
代替案として、保持器２および部品４は独立した部品とすることができ、保持器２を部品４に留めることができる。
【００２４】
図１に示すように、部品４は、完全にロックする態様で金属製のネジ５を保持している。
また、ネジ５は何か別の適切な耐火性材料で作ることもできる。
【００２５】
代替案として、ネジ５をネジのない金属ボルトまたはピンで置き換えることができる。
この場合に、ロッドまたはネジ５の自由端部６は、例えば、担体またはフレーム部材（図示せず）に溶接されるか、または別の方法で前記担体またはフレーム部材に取り付けられる。
ネジの場合に、ネジ５は、例えば、フレーム部材または担体に形成された通し穴（図示せず）を通って、フレーム部材または担体の別の側から金属ネジを用いてネジ留めされる。
【００２６】
図１に示すように、部品４はさらに、フランジ７を有する。
フランジ７は、部品４と一体とされ、樹脂材料から射出成型で作られるのが好ましい。
フランジ７について、図２を参照してより詳細に説明する。
【００２７】
図２は、図１による保持装置の斜視図を示しており、フランジ７の内部を明確にする。
【００２８】
好ましい例示的な実施形態によれば、予張力をかけた装置８は、フランジ７内に成型される。
図２に示すように、装置８は、ネジ５のヘッド部９に取り付けられている。
代替案として、ネジ５を用いて装置８を任意の所望の位置に固定することができる。
特に、予張力（予めかけた張力）をかけた状態で、装置８を部品４内に組み入れることもできる。
【００２９】
図３は、図２に示した予張力をかけた装置８の平面図を示している。
図３に示すように、本発明の１つの例示的な実施形態によれば、装置８は、予張力をかけた状態でネジ５のまわりに部分的に延びる３つの弾性スプリング部材１０ａ〜１０ｃを有する。
【００３０】
例えば、火炎の影響により、装置８が組み入れられた樹脂製フランジ７が溶融した場合、スプリング部材１０ａ〜１０ｃは外側に跳ねて、基本的には、半径方向の外側にネジ５から離れる方向に突出する。
【００３１】
代替案として、例えば、ネジ５のヘッド領域９に取り付けられた耐火性螺旋スプリングとして装置８を設計することができる。
ネジ５は、例えば、螺旋スプリングを貫通することができ、螺旋スプリングは、フランジ７が溶融したときにネジ５に沿って延びる。
【００３２】
図４は、本発明の１つの例示的な実施形態によるナット部品１１を示し、図１に示す保持装置にナット部品１１をねじ込むことができる。
図１による保持装置と同様に、ナット部品１１は保持器１２を有する。
保持器１２は、保持装置１の保持器２と同様に設計され、縁部領域１３ａ、１３ｂに、同じく、ケーブルのチューブ（ｌｏｏｍ）またはパイプラインを支持する凹部を有する。
部品１４は、保持器１２から基本的に垂直をなして延びている。
【００３３】
部品１４および保持器１２は、樹脂材料から作られ、例えば、１つの部品として射出成型されるのが好ましい。
代替案として、部品１４および保持器１２は独立した部品とすることができ、保持器１２を部品１４に留めることができる。
【００３４】
図４に示すように、部品１４は、好ましくは、部品１４と一体となるように射出成型されたフランジ１５を有する。
【００３５】
ナット部品の好ましい実施形態によれば、ナット（図示せず）が部品１４内に（またはフランジ１５内に）成型される。
ナットは、金属または何か別の適切な耐火性材料から作られるのが好ましい。
【００３６】
装置８のものと同様な態様で、部品１４はテンション装置（図示せず）を有し、このテンション装置については、図５を参照してより詳細に説明する。
【００３７】
図５は、図１に示す保持装置１が図４に示すナット部品にねじ込まれて、フレーム部材１６に取り付けられた断面図を示している。
【００３８】
図５では、ナット部品１１は、フレーム部材１６の左手側にあり、図１による保持装置は、図５の右手側でフレーム部材１６の反対側にある。
【００３９】
図５に示すように、フレーム部材１６は、ネジ５が図の右手側から挿入される通し穴１７を有する。
この場合、ナット部品１１は、部品１４に組み入れられたナット１８を用いてネジ５にねじ込まれる。
【００４０】
取り付けた状態では、例えば、保持装置１およびナット部品１１の部品４、１４のそれぞれの面は、図５に示すように、フレーム部材１６の対向面と接触している。
【００４１】
図５に示すように、例えば、絶縁マットなどの構造部材１９は、フレーム部材１６を囲んで配置され、保持装置１およびナット部品１１の部品４、１４は、絶縁マットを貫通している。
フランジ７、１５は、絶縁マット１９が保持装置１またはナット部品１１から滑り落ちるのを防止する。
【００４２】
（火炎にさらされることのない）通常の運転状態では、絶縁マット１９は、保持装置１またはナット部品１１のフランジ７、１５によって、フレーム部材１６に確実に保持され、フランジ７、１５は、絶縁マット１９が保持装置１またはナット部品１１から滑り落ちるのを防止する。
【００４３】
火炎にさらされると、樹脂製部品が溶融し、上記の装置８は解放されてフランジ７の機能を担い、その結果、絶縁マット１９が保持装置１から滑り落ちるのを防止する。
【００４４】
保持装置１の装置８のものと同様の態様で、ナット部品１１のナット１８は、テンション装置２０を有する。
テンション装置２０は、装置８に関連させて上記に説明した態様と同様な態様で設計され、したがって、火炎にさらされたときに、テンション装置はナット部品１１のフランジ１５の機能を担い、その結果、絶縁マット１９がナット部品１１から滑り落ちるのを防止する。
【００４５】
好ましい例示的な実施形態に関連させて本発明を上記に説明したが、耐火性コアに取り付けられた耐火性の予張力式装置が、予張力をかけた態様で非耐火性材料に組み入れられて、材料が溶融したときに解放された状態を呈する限りは、本発明の保護的範囲から逸脱することなく、修正および変更を行うこともできるは当然のことである。
【００４６】
さらに、本発明は、航空機分野だけでなく、同様の問題が存在するところならどこにでも使用することができ、例えば、船舶や他の乗り物で使用することができる。
【図面の簡単な説明】
【００４７】
【図１】本発明の例示的実施形態による保持装置を示す斜視図である。
【図２】図１による保持装置の内部を示す斜視図である。
【図３】図２に示す保持装置が張力のかかった状態にあることを示す平面図である。
【図４】本発明の一例示的実施形態によるナット部品を示し、図１に示す保持装置にナット部品をねじ込むことができる。
【図５】図１に示す保持装置が図４に示すナット部品にねじ込まれて、フレーム部材に取り付けられた断面図を示す。
【符号の説明】
【００４８】
１  保持装置
２  保持器
３ａ、３ｂ  縁部領域
４  部品
５  ネジ
６  自由端部
７  フランジ
８  装置
９  ヘッド部
１０ａ―ｃ  スプリング部材
１１  ナット部品
１２  保持器
１３ａ、１３ｂ  縁部領域
１４  部品
１５  フランジ
１６  フレーム部材
１７  通し穴
１８  ナット
１９  絶縁マット
２０  テンション装置
【図１】
2009510980.tif 000003
【図２】
2009510980.tif 000004
【図３】
2009510980.tif 000005
【図４】
2009510980.tif 000006
【図５】
2009510980.tif 000007
【国際調査報告】
2009510980.tif 000008
2009510980.tif 000009